(57)【要約】【課題】複数のハウジングで構成され、且つ、剛性に優れる光ピックアップ装置を提供する。【解決手段】光ピックアップ装置１は、半導体レーザ１０１、１０３と、レーザ光を平行光に変換するコリメータレンズ１０８と、コリメータレンズ１０８を保持するコリメータレンズホルダ１２１と、樹脂ハウジング１０と、金属ハウジング２０と、コリメータレンズ１０８の光軸方向にコリメータレンズホルダ１２１を支持するメインシャフト１２２と、を備える。メインシャフト１２２は、樹脂ハウジング１０と金属ハウジング２０を跨ぐようにして、樹脂ハウジング１０と金属ハウジング２０に固定されている。【選択図】図１
2014089783.tif 000002
【特許請求の範囲】
【請求項１】
レーザ光源と、
前記レーザ光源から出射されたレーザ光を平行光に変換するコリメータレンズと、
前記コリメータレンズを保持するコリメータレンズホルダと、
前記コリメータレンズとともに他の光学部材を収容する複数のハウジングと、
前記コリメータレンズの光軸方向に前記コリメータレンズホルダを支持するガイドシャフトと、を備え、
前記ガイドシャフトは、前記複数のハウジングを跨ぐようにして、前記複数のハウジングに固定されている、
ことを特徴とする光ピックアップ装置。
【請求項２】
請求項１に記載の光ピックアップ装置において、
前記複数のハウジングは、金属製の第１のハウジングと、樹脂製の第２のハウジングを含む、
ことを特徴とする光ピックアップ装置。
【請求項３】
請求項２に記載の光ピックアップ装置において、
前記第１のハウジングには、前記レーザ光源が収容され、
前記第２のハウジングには、前記コリメータレンズが収容される、
ことを特徴とする光ピックアップ装置。
【請求項４】
請求項２または３に記載の光ピックアップ装置において、
前記第２のハウジングに形成され、前記コリメータレンズの光軸方向に前記コリメータレンズホルダを支持するガイド部をさらに備える、
ことを特徴とする光ピックアップ装置。
【請求項５】
請求項１ないし３の何れか一項に記載の光ピックアップ装置において、
前記コリメータレンズの光軸方向に前記コリメータレンズホルダを支持する他のガイドシャフトをさらに備え、
前記他のガイドシャフトは、前記複数のハウジングを跨ぐようにして、前記複数のハウジングに固定されている、
ことを特徴とする光ピックアップ装置。
【発明の詳細な説明】
【技術分野】
【０００１】
本発明は、光ピックアップ装置に関するものであり、特に、複数のハウジングを備えた光ピックアップ装置に用いて好適なものである。
【背景技術】
【０００２】
近年、光ピックアップ装置では、低コスト化のため、光学部材を収容するハウジングの材料として、樹脂材料が多く用いられている。しかしながら、高速、多層記録に対応するためには、高出力のレーザ光源を用いる必要があるため、樹脂材料を用いたハウジングでは、放熱特性に劣るとの問題が生じる。
【０００３】
そこで、たとえば、レーザ光源の近傍は、放熱特性に優れる金属材料のハウジングが用いられ、その他の部分は、樹脂材料のハウジングが用いられる構成が取られ得る（たとえば、特許文献１）。
【先行技術文献】
【特許文献】
【０００４】
【特許文献１】特開２０１２−４３５１１号公報
【発明の概要】
【発明が解決しようとする課題】
【０００５】
上記光ピックアップ装置は、金属製のハウジングと樹脂製のハウジングの２つの部材で構成されるため、光ピックアップ装置全体としての剛性が低下し、落下衝撃等により破損が起こり易い。
【０００６】
本発明は、このような点に鑑みてなされたものであり、複数のハウジングで構成され、且つ、剛性に優れる光ピックアップ装置を提供することを目的とする。
【課題を解決するための手段】
【０００７】
本発明の主たる態様は、光ピックアップ装置に関する。この態様に係る光ピックアップ装置は、レーザ光源と、前記レーザ光源から出射されたレーザ光を平行光に変換するコリメータレンズと、前記コリメータレンズを保持するコリメータレンズホルダと、前記コリメータレンズとともに他の光学部材を収容する複数のハウジングと、前記コリメータレンズの光軸方向に前記コリメータレンズホルダを支持するガイドシャフトと、を備える。前記ガイドシャフトは、前記複数のハウジングを跨ぐようにして、前記複数のハウジングに固定されている。
【発明の効果】
【０００８】
本発明によれば、このような点に鑑みてなされたものであり、複数のハウジングで構成され、且つ、剛性に優れる光ピックアップ装置を提供することができる。
【０００９】
本発明の効果ないし意義は、以下に示す実施の形態の説明により更に明らかとなろう。ただし、以下の実施の形態は、あくまでも、本発明を実施する際の一つの例示であって、本発明は、以下の実施の形態によって何ら制限されるものではない。
【図面の簡単な説明】
【００１０】
【図１】実施の形態に係る光ピックアップ装置の光学系を示す図である。
【図２】実施の形態に係るハウジングとコリメータレンズアクチュエータの構成を示す図である。
【図３】実施の形態に係るハウジングとガイドシャフトの構成を示す図である。
【図４】比較例に係るハウジングとガイドシャフトの構成を示す図である。
【図５】変更例に係るハウジングとガイドシャフトの構成を示す図である。
【図６】変更例に係るハウジングとガイドシャフトの構成を示す図である。
【発明を実施するための形態】
【００１１】
以下、本発明の実施の形態につき図面を参照して説明する。
【００１２】
本実施の形態において、樹脂ハウジング１０は、請求項に記載の「第２のハウジング」に相当する。副軸レール１１ｇは、請求項に記載の「ガイド部」に相当する。メインシャフト１２２は、請求項に記載の「ガイドシャフト」に相当する。サブシャフト１１ｇ’は、請求項に記載の「他のガイドシャフト」に相当する。半導体レーザ１０１、１０３は、請求項に記載の「レーザ光源」に相当する。金属ハウジング２０は、請求項に記載の「第１のハウジング」に相当する。ただし、上記請求項と本実施の形態との対応の記載はあくまで一例であって、請求項に係る発明を本実施の形態に限定するものではない。
【００１３】
本実施の形態は、ＢＤ（Blu-ray Disc）、ＤＶＤ（Digital Versatile Disc）およびＣＤ（Compact Disc）に対応可能な互換型の光ピックアップ装置に本発明を適用したものである。
【００１４】
図１（ａ）、（ｂ）は、本実施の形態に係る光ピックアップ装置１の構成を示す図である。図１（ａ）は、光ピックアップ装置１を裏側から見たときの構成を模式的に示す図である。図１（ｂ）は、立ち上げミラー１１０、１１１以降の光学系を側面から透視した図である。
【００１５】
図１（ａ）、（ｂ）に示すように、光ピックアップ装置１は、樹脂ハウジング１０と、金属ハウジング２０を備えている。樹脂ハウジング１０は、軽量化、低コスト化のため、樹脂材料により構成されている。金属ハウジング２０は、熱伝導性の高い金属材料により構成されている。
【００１６】
また、光ピックアップ装置１は、半導体レーザ１０１と、１／２波長板１０２と、半導体レーザ１０３と、回折格子１０４と、ダイクロイックミラー１０５と、偏光ビームスプリッタ（ＰＢＳ）１０６と、フロントモニタ１０７と、コリメータレンズ１０８と、１／４波長板１０９と、立ち上げミラー１１０、１１１と、対物レンズ１１２、１１３と、アナモレンズ１１４と、光検出器１１５を備えている。
【００１７】
これらの光学系の部材のうち、半導体レーザ１０１、１０３と、１／２波長板１０２と、回折格子１０４と、ダイクロイックミラー１０５と、ＰＢＳ１０６と、アナモレンズ１１４と、光検出器１１５は、金属ハウジング２０に対して、直接または他の部材を介して設置されている。半導体レーザ１０１、１０３から発せられた熱は、金属ハウジング２０を介して放熱される。
【００１８】
フロントモニタ１０７と、コリメータレンズ１０８と、１／４波長板１０９と、立ち上げミラー１１０、１１１、対物レンズ１１２、１１３は、樹脂ハウジング１０に対して、直接または他の部材を介して設置されている。樹脂ハウジング１０には、コリメータレンズ１０８をＺ軸方向の位置調整を行うためのコリメータレンズアクチュエータ装着部１１が形成されている。コリメータレンズアクチュエータ装着部１１には、コリメータレンズアクチュエータ１２が設置される。
【００１９】
なお、光学部材を収容するハウジングとして、樹脂ハウジング１０と金属ハウジング２０が用いられる構成は、請求項２に記載の構成の一例である。また、金属ハウジング２０に半導体レーザ１０１、１０３が収容され、樹脂ハウジング１０にコリメータレンズ１０８が収容される構成は、請求項３に記載の構成の一例である。
【００２０】
半導体レーザ１０１は、波長４０５ｎｍ程度のレーザ光（以下、「ＢＤ光」という）を出射する。１／２波長板１０２は、ＢＤ光の偏光方向が、ＰＢＳ１０６に対してＳ偏光からややずれた方向となるように、ＢＤ光の偏光方向を調整する。半導体レーザ１０３は、波長７８０ｎｍ程度のＣＤ用レーザ光（以下、「ＣＤ光」という）と、波長６５０ｎｍ程度のＤＶＤ用レーザ光（以下、「ＤＶＤ光」という）をそれぞれ出射する２つのレーザ素子を収容している。半導体レーザ１０３は、出射するＤＶＤ光とＣＤ光の偏光方向が、ＰＢＳ１０６に対してＳ偏光からややずれた方向となるよう設置されている。
【００２１】
回折格子１０４は、ＤＶＤ光とＣＤ光を、それぞれ、メインビームと２つのサブビームに分割する。ダイクロイックミラー１０５は、ＢＤ光を反射し、ＤＶＤ光とＣＤ光を透過する。
【００２２】
ＢＤ光、ＤＶＤ光、ＣＤ光は、それぞれ、一部がＰＢＳ１０６を透過し、大部分がＰＢＳ１０６によって反射される。ＰＢＳ１０６を透過したＢＤ光、ＤＶＤ光、ＣＤ光は、フロントモニタ１０７に照射される。フロントモニタ１０７は、受光光量に応じた信号を出力する。フロントモニタ１０７からの信号は、半導体レーザ１０１、１０３の出射パワー制御に用いられる。
【００２３】
コリメータレンズ１０８は、ＰＢＳ１０６側から入射するＢＤ光、ＤＶＤ光、ＣＤ光を、それぞれ、平行光に変換する。コリメータレンズアクチュエータ１２は、収差補正の際に、制御信号に応じてコリメータレンズ１０８を光軸方向に移動させる。
【００２４】
コリメータレンズ１０８により平行光とされたＢＤ光、ＤＶＤ光、ＣＤ光は、１／４波長板１０９に入射する。１／４波長板１０９は、コリメータレンズ１０８側から入射するＢＤ光、ＤＶＤ光、ＣＤ光を円偏光に変換するとともに、立ち上げミラー１１０側から入射するＢＤ光、ＤＶＤ光、ＣＤ光を、コリメータレンズ１０８側から入射する際の偏光方向に直交する直線偏光に変換する。これにより、ディスクからの反射光は、ＰＢＳ１０６をＺ軸正方向に透過する。
【００２５】
立ち上げミラー１１０は、ダイクロイックミラーであり、ＢＤ光を透過するとともに、ＤＶＤ光とＣＤ光を対物レンズ１１２に向かう方向（Ｙ軸正方向）に反射する。立ち上げミラー１１１は、ＢＤ光を対物レンズ１１３に向かう方向（Ｙ軸正方向）に反射する。
【００２６】
対物レンズ１１２は、ＤＶＤ光とＣＤ光を、それぞれ、ＤＶＤとＣＤに対して適正に収束させるよう構成されている。また、対物レンズ１１３は、ＢＤ光をＢＤに適正に収束させるよう構成されている。対物レンズ１１２、１１３は、レンズホルダ１３１に保持された状態で、対物レンズアクチュエータ１３２により、フォーカス方向（Ｙ軸方向）およびトラッキング方向（Ｘ軸方向）に駆動される。
【００２７】
ディスクからの反射光は、１／４波長板１０９によりＰＢＳ１０６に対してＰ偏光となる直線偏光に変換され、ＰＢＳ１０６を透過する。ＰＢＳ１０６は、片面に偏光膜が形成された平行平板からなっており、ＢＤ光、ＤＶＤ光、ＣＤ光の光軸に対して４５度傾くように配置されている。アナモレンズ１１４は、ＰＢＳ１０６側から入射するＢＤ光、ＤＶＤ光、ＣＤ光に所定の非点収差を導入する。
【００２８】
光検出器１１５の受光面には、ＢＤ光、ＤＶＤ光、ＣＤ光が照射される位置に、各光を受光するための複数のセンサが配置されている。各センサからの出力により、従来周知の手法にて、再生ＲＦ信号、フォーカスエラー信号、トラッキングエラー信号が生成される。本実施の形態において、フォーカスエラー信号は、非点収差法に基づいて生成される。また、ＢＤ光に対するトラッキングエラー信号は、１ビームプッシュプル法によって生成され、ＤＶＤ光とＣＤ光に対するトラッキングエラー信号は、３ビーム法に基づいて生成される。
【００２９】
図２は、樹脂ハウジング１０、金属ハウジング２０、およびコリメータレンズアクチュエータ１２の構成を示す斜視図である。なお、図２において、樹脂ハウジング１０は、コリメータレンズアクチュエータ装着部１１周辺のみが示されており、金属ハウジング２０は、外観の形状が破線で模式的に示されている。
【００３０】
図２を参照して、コリメータレンズアクチュエータ１２は、コリメータレンズホルダ１２１と、メインシャフト１２２と、駆動部１２３を備えている。
【００３１】
コリメータレンズホルダ１２１は、コリメータレンズ保持部１２１ａと、メインシャフト装着部１２１ｂが形成されている。コリメータレンズ保持部１２１ａには、略円形形状の開口が形成されており、開口には、コリメータレンズ１０８が装着される。
【００３２】
メインシャフト装着部１２１ｂには、Ｚ軸方向に貫通する孔が形成されており、この孔に、メインシャフト１２２が通される。また、メインシャフト装着部１２１ｂには、駆動部１２３のナット１２３ｃが嵌め込まれる係合部１２１ｃが形成されている。  また、コリメータレンズ保持部１２１ａのＸ軸正側には、鉤部１２１ｄが形成されており、鉤部１２１ｄには、Ｕ字型の溝１２１ｅが形成されている。
【００３３】
メインシャフト１２２は、コリメータレンズホルダ１２１を光軸方向（Ｚ軸方向）に案内するための支持部材である。メインシャフト１２２には、コイルばね１２２ａが配されている。コイルばね１２２ａは、コリメータレンズホルダ１２１のメインシャフト装着部１２１ｂに対して、Ｚ軸正方向に付勢力を与える。これにより、コリメータレンズホルダ１２１の駆動時におけるがたつき（バックラッシュ）が抑制される。
【００３４】
駆動部１２３は、ステッピングモータ１２３ａと、リードスクリュー１２３ｂと、ナット１２３ｃと、フレーム１２３ｄと、ピボット１２３ｅを備えている。
【００３５】
ステッピングモータ１２３ａは、電気信号に応じて、リードスクリュー１２３ｂを回転させる。リードスクリュー１２３ｂには、ネジ溝が形成されており、このネジ溝にナット１２３ｃが螺合されている。
【００３６】
コリメータレンズアクチュエータ装着部１１のＸ軸負側には、ステッピングモータ１２３ａを嵌め込むための嵌合部１１ａと、ピボット１２３ｅを受ける溝１１ｂが形成されている。また、コリメータレンズアクチュエータ装着部１１には、メインシャフト１２２を受けるための軸受１１ｃ、１１ｄ、１１ｅが形成されている。
【００３７】
コリメータレンズアクチュエータ装着部１１のＸ軸正側には、壁面から突出する鍔部１１ｆが形成されており、鍔部１１ｆの先端には、コリメータレンズホルダ１２１の支持するための副軸レール１１ｇが形成されている。
【００３８】
なお、樹脂ハウジング１０に副軸レール１１ｇが形成される構成は、請求項４に記載の構成の一例である。
【００３９】
樹脂ハウジング１０のＸ軸負側の側面には、突部１０ａが形成されており、突部１０ａには、穴１０ｂが形成されている。さらに、樹脂ハウジング１０には、突部１０ｃが形成されており、突部１０ｃには、穴１０ｄが形成されている。金属ハウジング２０には、穴１０ｂ、１０ｄに係合する係合部が形成されている（図示せず）。
【００４０】
また、金属ハウジング２０には、メインシャフト１２２を通すための溝２０ａが形成されている。溝２０ａは、軸受１１ｃ、１１ｄ、１１ｅの並び方向に延びた形状を有し、上下方向（Ｙ軸方向）に貫通している。溝２０ａの奥には、メインシャフト１２２を受けるための軸受２０ｂが形成されている。
【００４１】
図３は、コリメータレンズアクチュエータ装着部１１にコリメータレンズアクチュエータ１２と金属ハウジング２０を装着したときのコリメータレンズアクチュエータ装着部１１付近の構成を示す斜視図である。
【００４２】
光ピックアップ装置１の組立時には、まず、樹脂ハウジング１０の突部１０ａ、１０ｃに接着剤が塗布される。この状態で、金属ハウジング２０の係合部（図示せず）が穴１０ｂ、１０ｄに係合するように、金属ハウジング２０が突部１０ａ、１０ｃに重ね合わされる。また、樹脂ハウジング１０と金属ハウジング２０の間に、接着剤がさらに塗布される。これにより、金属ハウジング２０が樹脂ハウジング１０に接着固定される。
【００４３】
次に、副軸レール１１ｇが、コリメータレンズホルダ１２１の溝１２１ｅには嵌められ、さらに、メインシャフト１２２が、樹脂ハウジング１０と金属ハウジング２０を跨ぐように、軸受１１ｃ、１１ｄ、１１ｅ、２０ｂに設置される。この状態において、副軸レール１１ｇは、コリメータレンズホルダ１２１の溝１２１ｅに係合する。これにより、コリメータレンズホルダ１２１は、メインシャフト１２２と副軸レール１１ｇにより、光軸方向（Ｚ軸方向）に移動可能なように支持される。
【００４４】
なお、副軸レール１１ｇがコリメータレンズホルダ１２１の溝１２１ｅに嵌められる再に、予め、副軸レール１１ｇに潤滑剤が塗布される。
【００４５】
こうして、コリメータレンズアクチュエータ１２がコリメータレンズアクチュエータ装着部１１に設置された状態で、メインシャフト１２２が軸受１１ｃ、１１ｄ、１１ｅ、２０ｄに接着固定される。これにより、コリメータレンズアクチュエータ装着部１１に対するコリメータレンズアクチュエータ１２の装着が完了する。
【００４６】
なお、メインシャフト１２２が、樹脂ハウジング１０と金属ハウジング２０を跨ぐように、樹脂ハウジング１０と金属ハウジング２０に接着固定される構成は、請求項１に記載の構成の一例である。
【００４７】
こうして、図３に示すように、光ピックアップ装置１が組み立てられる。この状態で、ステッピングモータ１２３ａにより、リードスクリュー１２３ｂが回転されると、ナット１２３ｃとともに係合部１２１ｃが駆動され、コリメータレンズホルダ１２１が光軸方向（Ｚ軸方向）に送られる。
【００４８】
図４は、比較例の樹脂ハウジング１０、金属ハウジング２０、およびコリメータレンズアクチュエータ１２の構成を示す斜視図である。
【００４９】
図４を参照して、比較例では、図３に示す本実施の形態におけるメインシャフト１２２に代えて、メインシャフト１２２よりも短いメインシャフト１２２’が用いられている。
また、比較例の場合、メインシャフト１２２’は、樹脂ハウジング１０内に収まっており、樹脂ハウジング１０と金属ハウジング２０を跨いでいない。また、金属ハウジング２０には、溝２０ａ、軸受２０ｂが形成されていない。
【００５０】
比較例の場合、金属ハウジング２０は、樹脂ハウジング１０に対して、突部１０ａ、１０ｃと金属ハウジング２０の係合部（図示せず）とが重なり合う部分と、それぞれの隙間に塗布された接着剤によってのみ接着される。このため、比較例の構成は、図３に示す本実施の形態に比べ、光ピックアップ装置１全体としての剛性が劣っている。したがって、たとえば、落下衝撃等により、金属ハウジング２０に力が加わると、金属ハウジング２０が樹脂ハウジング１０から剥離する惧れがある。
【００５１】
本実施の形態の場合、メインシャフト１２２は、比較例のメインシャフト１２２’よりも長く、樹脂ハウジング１０と金属ハウジング２０を跨ぐようにして、樹脂ハウジング１０と金属ハウジング２０に接着固定されるため、光ピックアップ装置１全体としての剛性を高めることができる。したがって、たとえば、落下衝撃等により、金属ハウジング２０に力が加わったとしても、金属ハウジング２０が樹脂ハウジング１０から剥離することを抑制することができる。
【００５２】
このように、本実施の形態では、光ピックアップ装置１全体の剛性を向上させることができるため、外部から衝撃がかかり易いモバイル機器等においても、光ピックアップ装置１を好適に用いることができる。また、メインシャフト１２２を延ばし、金属ハウジング２０に溝２０ａと軸受２０ｂを設けるといった簡素な構成により、光ピックアップ装置１全体の剛性を向上させることができる。さらに、光ピックアップ装置１全体の剛性が高まるため、ハウジングを肉薄にすることができ、これにより、光ピックアップ装置１を薄型化することができる。
【００５３】
＜実施の形態の効果＞
本実施の形態によれば、以下の効果が奏され得る。
【００５４】
メインシャフト１２２が、樹脂ハウジング１０と金属ハウジング２０を跨ぐようにして、樹脂ハウジング１０と金属ハウジング２０に接着固定されるため、光ピックアップ装置１全体としての剛性を高めることができる。このように光ピックアップ装置１全体の剛性を向上させることができるため、外部から衝撃がかかり易いモバイル機器等においても、光ピックアップ装置１を好適に用いることができる。
【００５５】
また、メインシャフト１２２を延ばし、金属ハウジング２０に溝２０ａと軸受２０ｂを設けるといった簡素な構成により、光ピックアップ装置１全体の剛性を向上させることができる。さらに、光ピックアップ装置１全体の剛性が高まるため、ハウジングを肉薄にすることができ、これにより、光ピックアップ装置１を薄型化することができる。
【００５６】
以上、本発明の実施の形態について説明したが、本発明は、上記実施の形態に何ら制限されるものではなく、また、本発明の実施の形態も上記以外に種々の変更が可能である。
【００５７】
たとえば、上記実施の形態では、金属ハウジング２０に溝２０ａが設けられ、溝２０ａの奥に形成された軸受２０ｂにメインシャフト１２２が接着固定されたが、金属ハウジング２０の側面に穴が形成され、メインシャフト１２２がこの穴に挿入されるようにして、金属ハウジング２０と樹脂ハウジング１０が接続されても良い。
【００５８】
また、上記実施の形態では、樹脂ハウジング１０と金属ハウジング２０がメインシャフト１２２により接続されたが、接続されるハウジングが他の素材からなっていても良い。
たとえば、樹脂ハウジングと樹脂ハウジング、もしくは、金属ハウジングと金属ハウジングが、メインシャフト１２２によって接続されても良い。
【００５９】
また、上記実施の形態では、２つに分かれた樹脂ハウジング１０と金属ハウジング２０がメインシャフト１２２により接続されたが、３つ以上に分かれたハウジングがメインシャフト１２２により接続されても良い。たとえば、図５に示すように、コリメータレンズアクチュエータ装着部１１が別部材の樹脂ハウジング１１’によって構成される場合、メインシャフト１２２は、樹脂ハウジング１０と樹脂ハウジング１１’と金属ハウジング２０を跨ぐように、樹脂ハウジング１０、樹脂ハウジング１１’および金属ハウジング２０に接着固定される。これにより、上記実施の形態同様、光ピックアップ装置１全体の剛性を高めることができる。
【００６０】
また、上記実施の形態では、コリメータレンズホルダ１２１は、メインシャフト１２２と副軸レール１１ｇにより支持されたが、副軸レール１１ｇに代えて、サブシャフトが設けられる構成に本発明が適用されても良い。この場合、メインシャフト１２２ではなく、サブシャフトの方が樹脂ハウジング１０と金属ハウジング２０を跨ぐようにして接着固定されても良い。
【００６１】
さらには、図６に示すように、メインシャフト１２２とサブシャフト１１ｇ’の両方が、樹脂ハウジング１０と金属ハウジング２０を跨ぐようにして、樹脂ハウジング１０と金属ハウジング２０に接着固定されても良い。この場合、メインシャフト１２２側と同様に、金属ハウジング２０には、溝２０ｃが形成され、溝２０ｃの奥には、軸受２０ｄが形成される。サブシャフト１１ｇ’は、樹脂ハウジング１０と金属ハウジング２０を跨ぐように、軸受２０ｄと、コリメータレンズアクチュエータ装着部１１に形成された軸受１１ｈ、１１ｉに設置される。こうして、サブシャフト１１ｇ’が、軸受１１ｈ、１１ｉ、２０ｄに接着固定される。このように構成すると、上記実施の形態に比べて部品点数が増加するものの、光ピックアップ装置１全体の剛性を、さらに高めることができる。なお、メインシャフト１２２のみによって、光ピックアップ装置１全体の剛性が確保可能な場合は、上記実施の形態のように、副軸レール１１ｇを設ける構成とする方が望ましい。
【００６２】
なお、このように、メインシャフト１２２とともにサブシャフト１１ｇ’が、樹脂ハウジング１０と金属ハウジング２０を跨ぐように、樹脂ハウジング１０と金属ハウジング２０に接着固定される構成は、請求項５に記載の構成の一例である。
【００６３】
さらに、上記実施の形態では、ＢＤ、ＤＶＤ、ＣＤに対応可能な光ピックアップ装置が例示されたが、ＢＤ、ＤＶＤ、ＣＤのうち２つに対応可能な光ピックアップ装置、または、ＢＤ、ＤＶＤ、ＣＤのうち１つに対応可能な光ピックアップ装置にも適用可能である。
【００６４】
この他、本発明の実施の形態は、特許請求の範囲に示された技術的思想の範囲内において、適宜、種々の変更が可能である。
【符号の説明】
【００６５】
１  …  光ピックアップ装置
１０  …  樹脂ハウジング（第２のハウジング）
１１ｇ  …  副軸レール（ガイド部）
１１ｇ’  …  サブシャフト（他のガイドシャフト）
１２１  …  コリメータレンズホルダ
１２２  …  メインシャフト（ガイドシャフト）
１０１、１０３  …  半導体レーザ（レーザ光源）
１０８  …  コリメータレンズ
２０  …  金属ハウジング（第１のハウジング）
【図１】
2014089783.tif 000003
【図２】
2014089783.tif 000004
【図３】
2014089783.tif 000005
【図４】
2014089783.tif 000006
【図５】
2014089783.tif 000007
【図６】
2014089783.tif 000008